(57)【特許請求の範囲】
【請求項１】
股間に対応する部位に排泄物穴を有するおむつを着用する患者の該おむつに対して装着され、前記排泄物穴からの排泄物を受ける受け皿部と前記受け皿部内の排泄物を外部へ排出する排出口とを備える本体を有し、全体がＵ字形をなすように形成された病臥患者用自動排泄物処理装置において、
前記本体の内部に向けて設置され、外部から供給される洗浄水を前記本体の前記受け皿部内の底面に撒水することにより、該受け皿部に溜まった排泄物を洗浄して前記排出口から外部へ排出するための排泄物洗浄ノズルと、
前記本体の内部に向けて設置され、外部から供給される洗浄水を前記本体の内部に撒水することにより、患者の体外の排泄器官を洗浄するための排泄器官洗浄ノズルと、
前記本体の受け皿部内に設置され、２本の金属棒状の電極を有し、該２本の電極の間で発生する抵抗値の変化を検出して前記受け皿部内の排尿を感知するためのショート感知センサー、及び、前記本体の外側に設置され、前記受け皿部内の排便を感知するための赤外線感知センサーを有する排泄物感知センサーと、
前記本体の前記排出口、前記排泄物洗浄ノズル及び前記排泄器官洗浄ノズルとそれぞれホースで連結されると共に、前記排泄物感知センサーが排泄物を感知することにより生成する信号を受けて作動し、前記排泄物洗浄ノズル及び前記排泄器官洗浄ノズルからの撒水と前記排出口からの排泄物の吸入処理を行う処理ユニットとを備えてなり、
前記処理ユニットは、前記排泄物洗浄ノズルからは洗浄水として冷水を撒水すると共に、前記排泄器官洗浄ノズルからは、前記排泄物洗浄ノズルからの撒水により排泄物を洗浄した後に、洗浄水として温水を撒水することを特徴とする病臥患者用自動排泄物処理装置。
【請求項２】
前記排泄物洗浄ノズルは、前記受け皿部内の前面中央およびその前面と隣接する底面にそれぞれ設置されていることを特徴とする請求項１記載の病臥患者用自動排泄物処理装置。
【請求項３】
前記受け皿部内の底面に設置される前記排泄物洗浄ノズルは、ノズル穴が前記受け皿部内の底面の幅に沿って多数個配列設置されていることを特徴とする請求項２記載の病臥患者用自動排泄物処理装置。
【請求項４】
前記排泄物洗浄ノズルは、前記排泄物感知センサーによる排泄物の感知によってなされる撒水とは別に、一定時間毎に前記受け皿部内の底面に微量の水を撒水することにより該受け皿部内の底面に水気が継続して残っているように、前記処理ユニットにより撒水が制御されることを特徴とする請求項１、２又は３記載の病臥患者用自動排泄物処理装置。
【請求項５】
前記排泄器官洗浄ノズルは、前記受け皿部の背面に該受け皿部内に向けて、患者の排泄器官の位置に沿って多数個配列設置されていることを特徴とする請求項１〜４のいずれかに記載の病臥患者用自動排泄物処理装置。
【請求項６】
前記本体の背面に設置されると共に前記処理ユニットにホースで連結され、該処理ユニットから洗浄水の供給を受けることにより前記本体内の背面を洗浄するための壁面洗浄ノズルをさらに有することを特徴とする請求項１〜５のいずれかに記載の病臥患者用自動排泄物処理装置。
【請求項７】
前記ショート感知センサーは、前記２本の金属棒状の電極が、前記受け皿部内の底面と左右の壁面の境界線に沿って、前記排出口から前方へ行くに従って左右に開くようにハの字状に設置されていることを特徴とする請求項１〜６のいずれかに記載の病臥患者用自動排泄物処理装置。
【請求項８】
前記本体の底部の外面には、前記排泄物感知センサーが排泄物を感知することによって作動して、前記本体に超音波振動を加えることにより排泄物の洗浄効果を高めるための超音波振動子がさらに設置されることを特徴とする請求項１〜７のいずれかに記載の病臥患者用自動排泄物処理装置。
【請求項９】
前記本体の受け皿部内の前面には、前記処理ユニットにホースで連結され、該前面の長さに沿って多数個のノズル穴を配列して前記処理ユニットから供給される空気を、前記排泄物洗浄ノズル及び前記排泄器官洗浄ノズルから洗浄水を撒水した後または定期的に、前記おむつへ供給するためのエアノズルがさらに設置されることを特徴とする請求項１〜８のいずれかに記載の病臥患者用自動排泄物処理装置。
【請求項１０】
前記本体の受け皿部の内面には、排泄物との摩擦力を減らすためのテフロン樹脂がコーティング処理されていることを特徴とする請求項１〜９のいずれかに記載の病臥患者用自動排泄物処理装置。
【発明の詳細な説明】
【技術分野】
【０００１】
本発明は、足(股)間に着用されるおむつを通じて患者に設置され、排泄物を受けて処理するのに使用される病臥患者用自動排泄物処理装置に関し、詳しくは、排泄物および排泄器官の後処理がさっぱりして、おむつが常に乾燥な状態を維持するようにして使用者に快適さと安楽さを提供するようにした病臥患者用自動排泄物処理装置に関する。
【背景技術】
【０００２】
一般的に病臥生活中の高齢者や老人等の患者は、挙動が不便であるため横たわって排泄している。このため、療養看護者や看病人が必ず必要である。しかし、近年、股間に着用されるおむつを通じて患者の排泄物を処理することができるおむつカップを設置することにより、看護者や看病人がなくても排泄物を自動に処理できるようにしている。
【０００３】
おむつを通じておむつカップへ排出される排泄物は、おむつカップとホースで連結される処理ユニットが吸入して処理する。処理ユニットは、おむつカップに洗浄水を供給して該洗浄水が洗い落とす排泄物を吸入処理する。排泄物はおむつカップに設置されるセンサーが感知する。処理ユニットはセンサーが排泄物を感知すれば、おむつカップに洗浄水を一定時間供給して排泄物を吸入処理する。
【０００４】
このようにおむつカップを使用して患者の排泄物を自動処理する装置は特許文献１、特許文献２に開示されている。
【特許文献１】特開２００６−１４１５９０号公報
【特許文献２】特開２００５−６６０１１号公報
【発明の開示】
【発明が解決しようとする課題】
【０００５】
しかし、患者が尿を排泄した状態で横たわると尿がおむつカップ内のいずれかの一方に溜まるようになるが、既存のおむつカップに設けられたセンサーは、このように尿がおむつカップ内のいずれかの一方に溜まると尿を感知することができないという問題がある。
【０００６】
また、おむつカップには洗浄水が排泄物を洗浄しても一部が残って臭気を誘発することにより使用者に不快感を与える問題がある。
【０００７】
従って、本発明の課題は、排泄物および排泄器官の後処理がさっぱりして、使用者に快適さと安楽さを提供することのできる病臥患者用自動排泄物処理装置を提供することにある。
【０００８】
本発明の他の課題は、以下の記載により明らかとなる。
【課題を解決するための手段】
【０００９】
前記課題は、以下の各発明によって解決される。
【００１０】
（請求項１）
股間に対応する部位に排泄物穴を有するおむつを着用する患者の該おむつに対して装着され、前記排泄物穴からの排泄物を受ける受け皿部と前記受け皿部内の排泄物を外部へ排出する排出口とを備える本体を有し、全体がＵ字形をなすように形成された病臥患者用自動排泄物処理装置において、
前記本体の内部に向けて設置され、外部から供給される洗浄水を前記本体の前記受け皿部内の底面に撒水することにより、該受け皿部に溜まった排泄物を洗浄して前記排出口から外部へ排出するための排泄物洗浄ノズルと、
前記本体の内部に向けて設置され、外部から供給される洗浄水を前記本体の内部に撒水することにより、患者の体外の排泄器官を洗浄するための排泄器官洗浄ノズルと、
前記本体の受け皿部内に設置され、２本の金属棒状の電極を有し、該２本の電極の間で発生する抵抗値の変化を検出して前記受け皿部内の排尿を感知するためのショート感知センサー、及び、前記本体の外側に設置され、前記受け皿部内の排便を感知するための赤外線感知センサーを有する排泄物感知センサーと、
前記本体の前記排出口、前記排泄物洗浄ノズル及び前記排泄器官洗浄ノズルとそれぞれホースで連結されると共に、前記排泄物感知センサーが排泄物を感知することにより生成する信号を受けて作動し、前記排泄物洗浄ノズル及び前記排泄器官洗浄ノズルからの撒水と前記排出口からの排泄物の吸入処理を行う処理ユニットとを備えてなり、
前記処理ユニットは、前記排泄物洗浄ノズルからは洗浄水として冷水を撒水すると共に、前記排泄器官洗浄ノズルからは、前記排泄物洗浄ノズルから洗浄水を撒水して排泄物を洗浄した後に、洗浄水として温水を撒水することを特徴とする病臥患者用自動排泄物処理装置。
【００１１】
(請求項２)
前記排泄物洗浄ノズルは、前記受け皿部内の前面中央およびその前面と隣接する底面にそれぞれ設置されていることを特徴とする請求項１記載の病臥患者用自動排泄物処理装置。
【００１２】
（請求項３）
前記受け皿部内の底面に設置される前記排泄物洗浄ノズルは、ノズル穴が前記受け皿部内の底面の幅に沿って多数個配列設置されていることを特徴とする請求項２記載の病臥患者用自動排泄物処理装置。
【００１３】
（請求項４）
前記排泄物洗浄ノズルは、前記排泄物感知センサーによる排泄物の感知によってなされる撒水とは別に、一定時間毎に前記受け皿部内の底面に微量の水を撒水することにより該受け皿部内の底面に水気が継続して残っているように、前記処理ユニットにより撒水が制御されることを特徴とする請求項２又は３記載の病臥患者用自動排泄物処理装置。
【００１５】
（請求項５）
前記排泄器官洗浄ノズルは、前記受け皿部の背面に該受け皿部内に向けて、患者の排泄器官の位置に沿って多数個配列設置されていることを特徴とする請求項１〜４のいずれかに記載の病臥患者用自動排泄物処理装置。
【００１７】
（請求項６）
前記本体の背面に設置されると共に前記処理ユニットにホースで連結され、該処理ユニットから洗浄水の供給を受けることにより前記本体内の背面を洗浄するための壁面洗浄ノズルをさらに有することを特徴とする請求項１〜５のいずれかに記載の病臥患者用自動排泄物処理装置。
【００１８】
（請求項７）
前記ショート感知センサーは、前記２本の金属棒状の電極が、前記受け皿部内の底面と左右の壁面の境界線に沿って、前記排出口から前方へ行くに従って左右に開くようにハの字状に設置されていることを特徴とする請求項１〜６のいずれかに記載の病臥患者用自動排泄物処理装置。
【００２０】
（請求項８）
前記本体の底部の外面には、前記排泄物感知センサーが排泄物を感知することによって作動して、前記本体に超音波振動を加えることにより排泄物の洗浄効果を高めるための超音波振動子がさらに設置されることを特徴とする請求項１〜７のいずれかに記載の病臥患者用自動排泄物処理装置。
【００２１】
（請求項９）
前記本体の受け皿部内の前面には、前記処理ユニットにホースで連結され、該前面の長さに沿って多数個のノズル穴を配列して前記処理ユニットから供給される空気を、前記排泄物洗浄ノズル及び前記排泄器官洗浄ノズルから洗浄水を撒水した後または定期的に、前記おむつへ供給するためのエアノズルがさらに設置されることを特徴とする請求項１〜８のいずれかに記載の病臥患者用自動排泄物処理装置。
【００２２】
（請求項１０）
前記本体の受け皿部の内面には、排泄物との摩擦力を減らすためのテフロン樹脂がコーティング処理されていることを特徴とする請求項１〜９のいずれかに記載の病臥患者用自動排泄物処理装置。
【発明の効果】
【００２３】
本発明に係る病臥患者用自動排泄物処理装置によれば、排泄物および排泄器官の後処理がさっぱりして、使用者に快適さと安楽さを提供することができる。
【発明を実施するための最良の形態】
【００２４】
前記目的および長所、そして他の特徴は添付図面を参照した下記の説明から明白である。以下、本発明の好ましい実施形態を添付の図面を参照して詳しく説明する。
【００２５】
図１は、本発明に係る病臥患者用自動排泄物処理装置の使用状態を示した図、図２は、本発明に係る病臥患者用自動排泄物処理装置をおむつを分離した状態で前から見て示した斜視図、図３は、本発明に係る病臥患者用自動排泄物処理装置を後から見て示した斜視図、図４は、本発明に係る病臥患者用自動排泄物処理装置を下から見て示した斜視図、図５は、本発明に係る病臥患者用自動排泄物処理装置を示した側面図、図６は、本発明に係る病臥患者用自動排泄物処理装置を上から見て示した分離斜視図、図７は、本発明に係る病臥患者用自動排泄物処理装置を下から見て示した分離斜視図、図８は、図６で表示Ａ部分のみを下から見て示した斜視図、図９は、本発明に係る病臥患者用自動排泄物処理装置を示した断面図である。
【００２６】
図面に示したように、本発明に係る病臥患者用自動排泄物処理装置は、病臥生活中の患者（使用者）の股間に着用されるおむつ１を備えている。おむつ１は、使用者の股間に対応する部位に排泄物穴３が形成されており、該排泄物穴３を通じて使用者の排泄物を外に送り出すことができるようになっている。また、おむつ１の内側の股間に対応する部位には防水性を有する樹脂フィルムを付着して、尿がおむつ１へ染み込まずに排泄物穴３に抜け出るようにすることが好ましい。
【００２７】
おむつ１の排泄物穴３から排出される排泄物は、樋状の受け皿部１１を有する本体１０によって処理される。本体１０は、おむつ１の尻部側の外面に対応するように形成された受け皿部１１と、該受け皿部１１の後部から上方に立ち上がる立ち上がり部１２とを有する形状に形成されている。この受け皿部１１の底面は、排出口１３に向けて次第に幅が狭く、且つ、深さが深くなるように形成されている。そして、この本体１０は、受け皿部１１がおむつ１の尻部側の外面に位置されると共に、立ち上がり部１２がおむつ１の排泄物穴３を外側から覆うように位置されて、該おむつ１に対面して設置される。
【００２８】
受け皿部１１は、排泄物穴３から排出される排泄物を受けて本体１０の後部に形成されている排出口１３から外部へ排出し、第１および第２支持部材２０、３０の助けを受けておむつ１に安定的に固定される。図面符号１５と１６は、本体１０の下側と後側を塞ぐための蓋をそれぞれ示したものである。
【００２９】
なお、図３中の矢印で示したように、本発明に係る病臥患者用自動排泄物処理装置において、「上」はａ方向側、「下」はｂ方向側であり、「前」はｃ方向側、「後」はｄ方向側とする。
【００３０】
第１支持部材２０は、倒Ｌ字状の折曲部２１を有しており、該折曲部２１が本体１０の後部に位置する立ち上がり部１２から立設され、本体１０の前方に向かって受け皿部１１に上方から対面するように設けられている。また、第２支持部材３０は、板形状を成して本体１０の前部に設けられている。このように、本体１０に第１および第２支持部材２０、３０がそれぞれ設置されることにより、図５に示されるように、全体形状が側面から見てＵ字形を成すため、本体１０は使用者の股間に安定的に挿入され得る。本体１０と第１および第２支持部材２０、３０は、その成形および設置の容易性のために、互いに脱着可能に設置されることが好ましい。
【００３１】
第１および第２支持部材２０、３０は、おむつ１に嵌められて本体１０をおむつ１に固定させることができる。また、これとは異なり、第１および第２支持部材２０、３０は、弾性バンドや面ファスナー、スナップ（snap）等を使用しておむつ１に設置され、本体１０を固定させることができる。このように、おむつ１は、第１および第２支持部材２０、３０に脱着されるように固定されるため、その交換が容易である。
【００３２】
このように、第１および第２支持部材２０、３０の支持を受けて、おむつ１を介して使用者の股間に安定的に着用される本体１０は、前記のように受け皿部１１がおむつ１の排泄物穴３から排出される排泄物を受けて排出口１３から外部へ排出するが、排出口１３から排出された排泄物は、よく知られているような処理ユニットＵに吸入されることにより処理される。
【００３３】
処理ユニットＵは、本体１０の後部に形成される排出口１３とホースで連結され、受け皿部１１に溜まった排泄物を吸入して処理する。排泄物は本体１０に設置される排泄物感知センサー４０によって感知され、処理ユニットＵは該排泄物感知センサー４０が排泄物を感知することにより生成する信号を受けて作動して、受け皿部１１に溜まった排泄物を吸入処理する。
【００３４】
排泄物感知センサー４０は、排便を感知するためのセンサー４１と排尿を感知するためのセンサー４３とを有しており、これらによって排泄物を感知し、洗浄水を撒水するか否かを決定するための信号を生成して処理ユニットＵへ出力する。排便を感知するセンサー４１としては赤外線感知センサーが使用され、排尿を感知するセンサー４３としてはショート感知センサーが好ましく使用される。
【００３５】
赤外線感知センサー４１は、本体１０の下面側に設けられた蓋１５によって保護されており、本体１０における受け皿部１１の外側の左右両側に設置され、赤外線を照射して受け皿部１１内の排便を感知する。赤外線感知センサー４１は、例えば赤外線発光部と受光部とにより、一定距離から戻る赤外線を感知して受け皿部１１内の排泄物の有無を感知する。本体１０は、例えばポリカーボネート樹脂のような樹脂材質で透明や半透明に製作されているので、このような赤外線感知センサー４１の作動を妨害しない。また、本体１０は、赤外線感知センサー４１が設置される部位のみが、例えばポリカーボネート樹脂のような樹脂材質で透明や半透明に製作されているだけでも同様の効果が得られる。このような赤外線感知センサー４１は受け皿部１１の外側に設置されているため、排泄物が触れて汚されることもなく、排泄物を長期に亘って確実に感知することができる。
【００３６】
ショート感知センサー４３は、導電性を有する２本の金属棒状の電極４３ａ、４３ｂを、受け皿部１１の底面に沿って設置した形態をなしており、電極４３ａ、４３ｂの間で発生する抵抗値の変化を検出して排尿の有無を感知する。受け皿部１１に尿が入っていれば、電極４３ａ、４３ｂは尿で浸水され、該電極４３ａ、４３ｂの間の抵抗値が変化するため、ショート感知センサー４３は排尿を感知することができる。
【００３７】
このショート感知センサー４３は、電極４３ａ、４３ｂを受け皿部１１内の底面と左右の壁面の境界線に沿って、排出口１３の近傍から前方に向かって延びており、幅の狭い排出口１３側から幅の広い前方に行くに従って左右に開くようにハの字状に設置して排尿を効果的に感知できるようにしている。即ち、使用者が尿を排泄した状態で横たわっても、電極４３ａ、４３ｂは排出口１３に近い側の間隔が狭いので、尿は、この排出口１３に近くて間隔が狭い部分の電極４３ａ、４３ｂの両方を十分に浸水させることができる。このため、浸水された電極４３ａ、４３ｂの間では抵抗値の変化が生じて排尿を感知することができる。したがって、従来のように使用者が横たわった状態で排尿が感知できなくなるという問題を解決することができる。
【００３８】
このように赤外線感知センサー４１およびショート感知センサー４３を含む排泄物感知センサー４０が排泄物を感知すると、本体１０は受け皿部１１内に洗浄水を撒水することにより、排泄物をきれいに洗浄する。洗浄水は、排泄物感知センサー４０からの感知信号を受けて処理ユニットＵが作動することにより該処理ユニットＵから供給される。処理ユニットＵは撒水された洗浄水と共に排泄物を吸入して処理する。
【００３９】
本体１０には、受け皿部１１内の前面中央および受け皿部１１内の前面と隣接する底面に排泄物洗浄ノズル５１、５３が設置されており、受け皿部１１内の底面に洗浄水を撒水して排泄物をきれいに洗浄するようになっている。このとき、受け皿部１１内の底面に設置される排泄物洗浄ノズル５３は、そのノズル穴が受け皿部１１内の底面の幅に沿って多数個配列設置されているので、排泄物を効果的に洗浄することができる。このように、排泄物洗浄ノズル５３は、なるべく排泄物と近接するような位置に配列設置されることが、洗浄効率を高める上で好ましい。
【００４０】
排泄物の洗浄水は冷水である。冷水とは何ら加温のための処理をしていない水である。したがって、温水のように湯気が立ち込めて臭気が放散することもない。
【００４１】
排泄物洗浄ノズル５１、５３は、本体１０の下から該排泄物洗浄ノズル５１、５３のそれぞれから引き出されるホースが蓋１６を貫通して処理ユニットＵに連結されることにより、該処理ユニットＵから洗浄水の供給を受けて排泄物を洗浄する。このとき、本体１０の底部の外面に設置されて蓋１５によって保護されている振動付与手段６０が作動することにより、排泄物の洗浄効果を大きく高めるようにしている。
【００４２】
振動付与手段６０は、前記排泄物感知センサー４０からの感知信号を受けた処理ユニットＵからの制御を受けて作動する。この振動付与手段６０は超音波振動子を有しており、本体１０を超音波振動させることによって排泄物の洗浄効果を大きく高め、洗浄残りをなくことができる。超音波振動子が超音波振動すれば、本体１０が振動することにより、排泄物、特に排便は、受け皿部１１の底面から分離され、細かく砕かれた状態になる。このため、排泄物は排出口１３側に次第に流出する。また、この超音波振動により、洗浄水には推し量れない微細な気泡が発生するため、受け皿部１１内の底面に残っている排泄物までも完全に分離し、受け皿部１１内の底面に排便や排尿がこびりつくことを防止する。
【００４３】
このように排泄物が受け皿部１１の底面から分離され、細かく砕かれた状態になり、こびりつくことがなくなれば、洗浄水は排泄物を容易に掃き下すことができるため、振動付与手段６０によって排泄物の洗浄効果が大きく高まるようになる。したがって、受け皿部１１の底面には排泄物が残らないので、以後、臭気が発生することがなく、使用者は快適感と安楽感を有することができる。また、振動付与手段６０によって、多量の洗浄水を撒水しなくても高い洗浄効果が得られるため、洗浄水の節約にもなる。
【００４４】
また、受け皿部１１の内面には、排泄物との摩擦力を減らすための樹脂がコーティング処理されて表面が滑らかに形成されていることにより、排泄物の洗浄効果をさらに高めている。このような排泄物との摩擦力を減らすための樹脂としては、テフロン樹脂を好ましく用いることができる。
【００４５】
さらに、排泄物洗浄ノズル５１、５３からは、排泄物感知センサー４０による排泄物の感知によってなされる撒水とは別に、一定時間毎に、例えば２０〜３０分間隔で、受け皿部１１内の底面に微量の水（冷水）を撒水して該受け皿部１１内の底面に水気が継続して残っているように制御することも好ましい。これにより、おむつ１の排泄物穴３から排出された排泄物の洗浄水による流出をさらに容易にし、排泄物がそのまま凝固することを防止することができ、排泄物の洗浄効果をさらに高めることができる。これは処理ユニットＵの制御で行われる。
【００４６】
さらに、本体１０は、立ち上がり部１２に壁面洗浄ノズル５８が設置されており、本体１０内に向けて洗浄水を撒水することにより該本体１０の立ち上がり部１２内面が洗浄可能とされている。壁面洗浄ノズル５８は、蓋１６を貫通して引き込まれる処理ユニットＵからのホースに連結されることにより、処理ユニットＵから洗浄水（冷水）の供給を受ける。壁面洗浄ノズル５８は噴射形態の排泄物洗浄ノズル５１、５３とは異なり、洗浄水を本体１０の立ち上がり部１２内面に沿って受け皿部１１に向けて自然な状態で流下させる形態をとっており、洗浄時に本体１０の立ち上がり部１２内面にまで飛び散って付着した排泄物をきれいに洗浄する。これは、排泄物洗浄ノズル５１、５３から洗浄水の撒水が行われた後に、処理ユニットＵの制御で一定時間行われることが好ましい。
【００４７】
一方、肛門や陰部のように使用者の体外の排泄器官の洗浄は排泄器官洗浄ノズル７１、７３が担当する。排泄器官の洗浄水は生温い温水である。したがって、撒水時に使用者に不快感を与えることはない。排泄器官洗浄ノズル７１、７３は、本体１０の立ち上がり部１２から本体１０内に向けて排泄器官の位置に沿って多数個配列設置され、洗浄水を撒水することにより、排泄した後の排泄器官をきれいに洗浄する。即ち、排泄器官洗浄ノズル７１、７３は、使用者の肛門や陰部の位置に合うように本体１０の立ち上がり部１２に設置され、排泄した後の使用者の肛門や陰部をきれいに洗浄する。
【００４８】
排泄器官洗浄ノズル７１、７３は、蓋１６を貫通して引き込まれる処理ユニットＵからのホースに連結されることにより、該処理ユニットＵから温水の洗浄水の供給を受ける。このため処理ユニットＵは洗浄水を加温するための手段を有している。排泄器官洗浄ノズル７１、７３は、排泄物洗浄ノズル５１、５３からの撒水と共に洗浄水を撒水して、または、排泄物洗浄ノズル５１、５３からの撒水によって排泄物を洗浄した後に洗浄水を撒水して、排泄器官を洗浄することができる。また、排泄器官洗浄ノズル７１、７３は、排泄物の種類に従って個別的に洗浄水を撒水して排泄器官を洗浄することができる。さらに、排泄器官洗浄ノズル７１、７３からの撒水と共に、あるいはその後に、前記した壁面洗浄ノズル５８から洗浄水を供給することも好ましい。これら全てのことは処理ユニットＵの制御で行われる。
【００４９】
排泄器官に付着した洗浄水と、洗浄時におむつ１に付着した洗浄水は、エアノズル８１によって乾燥される。エアノズル８１は、受け皿部１１内の前面側に沿って長く設置され、処理ユニットＵから供給される暖かい空気をおむつ１に直接供給することにより、排泄器官に付着した洗浄水とおむつ１に付着した洗浄水を乾燥する。即ち、エアノズル８１は多数個のノズル穴を受け皿部１１内の前面に沿って配列形成して暖かい空気をおむつ１に均等に供給することにより、洗浄水を効果的に乾燥する。
【００５０】
エアノズル８１は、本体１０の下から該エアノズル８１の左右側にそれぞれ引き出されるホースが、蓋１６を貫通して引き込まれる処理ユニットＵからのホースに連結されることにより、該処理ユニットＵから暖かい空気の供給を受けておむつ１に均等に供給する。このため、おむつ１は常に乾燥な状態が維持され、使用者は常に快適感と安楽さを有することができる。また、これは病臥生活中に発病し得る褥瘡(床ずれ)などの疾病が発生しないようにし、さらに、おむつ１の交換頻度を大きく減らすことができる。
【００５１】
また、エアノズル８１からの暖かい空気の供給は、排泄物洗浄ノズル５１、５３および排泄器官洗浄ノズル７１、７３から洗浄水が撒水された後の乾燥に要する一定時間だけ行うものに限らず、洗浄水の撒水の有無に関わらず、処理ユニットＵの制御により、該処理ユニットＵからの供給を受けて定期的におむつ１に供給することにより、おむつ１および本体１０を着用し続けることによって内部に生ずる湿気（蒸れ）を乾燥し、使用者にさらなる快適感と安楽感を与えるようにすることも好ましい。
【図面の簡単な説明】
【００５２】
【図１】本発明に係る病臥患者用自動排泄物処理装置の使用状態を示す図
【図２】本発明に係る病臥患者用自動排泄物処理装置をおむつを分離した状態で前から見て示した斜視図
【図３】本発明に係る病臥患者用自動排泄物処理装置を後から見て示した斜視図
【図４】本発明に係る病臥患者用自動排泄物処理装置を下から見て示した斜視図
【図５】本発明に係る病臥患者用自動排泄物処理装置を示した側面図
【図６】本発明に係る病臥患者用自動排泄物処理装置を上から見て示した分離斜視図
【図７】本発明に係る病臥患者用自動排泄物処理装置を下から見て示した分離斜視図
【図８】図６中の表示Ａ部分を下から見て示した斜視図
【図９】本発明に係る病臥患者用自動排泄物処理装置を示した断面図
【符号の説明】
【００５３】
１：おむつ
３：排泄物穴
１０：本体
１１：受け皿部
１２：立ち上がり部
１３：排出口
１５：蓋
１６：蓋
２０：第１支持部材
２１：折曲部
３０：第２支持部材
４０：排泄物感知センサー
４１：赤外線感知センサー
４３：ショットセンサー
４３ａ、４３ｂ:電極
５１、５３：排泄物洗浄ノズル
５８：壁面洗浄ノズル
６０：振動付与手段
７１、７３：排泄器官洗浄ノズル
８１:エアノズル
【図１】
0004537436.tif 000002
【図２】
0004537436.tif 000003
【図３】
0004537436.tif 000004
【図４】
0004537436.tif 000005
【図５】
0004537436.tif 000006
【図６】
0004537436.tif 000007
【図７】
0004537436.tif 000008
【図８】
0004537436.tif 000009
【図９】
0004537436.tif 000010